(57)【要約】 【課題】  簡単な構造で重要機能部を確実に封印することができる基板ボックスの錠止構造を提供する。【解決手段】  錠止構造を、ボックス本体１に設けられた第１開口部１１と、この第１開口部１１に対向してボックス蓋体２に設けられた第２開口部１２と、第１開口部１１に差し込まれる第１封印部材３と、第２開口部１２に差し込まれて第１封印部材３を係止する第２封印部材４とにより構成する。第１開口部１１及び第２開口部１２を細長のスリット状に形成したうえに、第１封印部材３を係止爪１４を備える板材からなるものとし、第２封印部材４を係止爪１４と係合する係止穴部１５を備える板材からなるものとする。【選択図】    図１
2007061582.tif 000002
【特許請求の範囲】
【請求項１】
ボックス本体又はボックス蓋体に設けられた第１開口部と、この第１開口部に対向してボックス蓋体又はボックス本体に設けられた第２開口部と、第１開口部に差し込まれる第１封印部材と、第２開口部に差し込まれて第１封印部材を係止する第２封印部材と、からなることを特徴とする基板ボックスの錠止構造。
【請求項２】
第１開口部及び第２開口部を細長のスリット状に形成したうえに、第１封印部材を係止爪を備える板材からなるものとし、第２封印部材を前記係止爪と係合する係止穴部を備える板材からなるものとしたことを特徴とする請求項１に記載の基板ボックスの錠止構造。
【請求項３】
第１開口部及び第２開口部を細長のスリット状に形成したうえに、第１封印部材と第２封印部材とを、係止爪を備えた板材からなるものとしたことを特徴とする請求項１に記載の基板ボックスの錠止構造。
【請求項４】
第１封印部材と第２封印部材とを、同一形状のものとしたことを特徴とする請求項３に記載の基板ボックスの錠止構造。
【請求項５】
第１開口部及び第２開口部を細長のスリット状に形成したうえに、第１封印部材を係止爪を備えた凹部を有する板材からなるものとし、第２封印部材を前記凹部に嵌合されて係止される突片を有する板材からなるものとしたことを特徴とする請求項１に記載の基板ボックスの錠止構造。
【請求項６】
第１封印部材及び第２封印部材は、その端部の左右に突出する位置決め片を有し、第１開口部及び第２開口部は、その左右に前記位置決め片を受け止める段差部を有することを特徴とする請求項２〜４の何れかに記載の基板ボックスの錠止構造。
【請求項７】
第１開口部を、ボックス本体又はボックス蓋体にブリッジを介して設けた第１封印部材の支持部に形成し、第２開口部を、ボックス蓋体又はボックス本体にブリッジを介して設けた第２封印部材の支持部に形成したことを特徴とする請求項１に記載の基板ボックスの錠止構造。
【発明の詳細な説明】
【技術分野】
【０００１】
本発明は、パチンコ機、スロットマシン、アレンジボール、パロット等の遊技機の重要機能部を覆う基板ボックスの錠止構造に関するものである。
【背景技術】
【０００２】
パチンコ機、スロットマシン、アレンジボール、パロット等の遊技機においては、入賞確率が書き込まれたＲＯＭチップ等の重要機能部を基板ボックスで封印して、第三者が不正を働くことができないようにしてある。
従来の基板ボックスの錠止構造として、例えば特許文献１、２に記載されたようなものがある。当該基板ボックスの錠止構造は、ボックス本体とボックス蓋体に設けた封印部材同士を合体させたうえ、封印金具を一方の封印部材に設けた挿入穴から差し込んで他方の封印部材に係止させることによって、ボックス本体とボックス蓋体とを開封不可能に連結するものである。
【０００３】
しかしながら、上記構造のものは封印部材同士を密着嵌合して合体させる必要があることと、封印金具を封印部材に係止させる必要があるために構造が複雑で、そのため製作金型が複雑になるという欠点がある。
【特許文献１】特開平１０−３１４４１４号公報  (図５)
【特許文献２】特開２００２−２８２４９８号公報  (図５)
【発明の開示】
【発明が解決しようとする課題】
【０００４】
本発明は、上記したような問題点を解決し、簡単な構造で重要機能部を確実に封印することができる基板ボックスの錠止構造を提供することを課題とする。
【課題を解決するための手段】
【０００５】
上記の課題を解決するためになされた本発明の基板ボックスの錠止構造は、ボックス本体又はボックス蓋体に設けられた第１開口部と、この第１開口部に対向してボックス蓋体又はボックス本体に設けられた第２開口部と、第１開口部に差し込まれる第１封印部材と、第２開口部に差し込まれて第１封印部材を係止する第２封印部材と、からなることを特徴とするものである。
【０００６】
なお、第１開口部及び第２開口部を細長のスリット状に形成したうえに、第１封印部材を係止爪を備える板材からなるものとし、第２封印部材を前記係止爪と係合する係止穴部を備える板材からなるものとすることができる。また、第１開口部及び第２開口部を細長のスリット状に形成したうえに、第１封印部材と第２封印部材とを、係止爪を備えた板材からなるものとすることができるし、またこの係止爪を備えた第１封印部材と第２封印部材とを、同一形状のものとすることができる。また、第１開口部及び第２開口部を細長のスリット状に形成したうえに、第１封印部材を係止爪を備えた凹部を有する板材からなるものとし、第２封印部材を前記凹部に嵌合されて係止される突片を有する板材からなるものとすることもできる。また、第１封印部材及び第２封印部材は、その端部の左右に突出する位置決め片を有し、第１開口部及び第２開口部は、その左右に前記位置決め片を受け止める段差部を有するものとすることができる。
【０００７】
さらに、第１開口部を、ボックス本体又はボックス蓋体にブリッジを介して設けた第１封印部材の支持部に形成し、第２開口部を、ボックス蓋体又はボックス本体にブリッジを介して設けた第２封印部材の支持部に形成することができる。
【発明の効果】
【０００８】
請求項１に係る発明は、第１開口部に第１封印部材を差し込み、対向する第２開口部に第２封印部材を挿し込んで、第１封印部材と第２封印部材とを逆動不能に係止させることによって、ボックス本体とボックス蓋体とを確実に錠止することができる。ボックス本体及びボックス蓋体には開口部を設けるだけでよいので、錠止構造を極めて簡単なものとすることができ、製作金型も簡素化できる。第１封印部材と第２封印部材との係止を基板ボックス内で行うので、外部からの不正を確実に防止することができる。
請求項２に係る発明は、錠止構造を薄型のものとすることができるうえに、係止爪を係止穴部に係合させることによって、第１封印部材と第２封印部材とを確実に係止することができる。
請求項３に係る発明は、封印部材に係止爪を設けるだけであるので、製作が容易である。
請求項４に係る発明は、同一形状の封印部材を用いるので、製造コストを低減できる。
請求項５に係る発明は、第１封印部材と第２封印部材とを対向方向からスライドさせるだけで嵌合できるという利点がある。
請求項６に係る発明は、位置決め片を段差部で受け止めることによって第１封印部材と第２封印部材とをがたつくことなく係止させることができる。
請求項７に係る発明は、ブリッジを切断することによってボックス本体とボックス蓋体との錠止を解除することができる。
【発明を実施するための最良の形態】
【０００９】
以下に本発明の好ましい実施形態を詳細に説明する。
図１〜４は、本発明に係る錠止機能を備えた基板ボックスを示す図であって、１はボックス本体、２はボックス蓋体である。また、３は第１封印部材、４は第２封印部材である。そして、ボックス本体１の一端には接続用のブリッジ５を介して第１封印部材３の支持部６が形成されており、ボックス蓋体２の一端には、前記支持部６に対向して当接される第２封印部材４の支持部７がブリッジ８を介して形成されている。これら支持部６、７は、それぞれボックス本体１、ボックス蓋体２から突出することなく、ボックス本体１、ボックス蓋体２の一部として設けてあるので、支持部６、７の左右の側面から不正を働くことははなはだ困難である。
【００１０】
なお、第１封印部材３の支持部６はボックス蓋体２に設けることができ、第２封印部材４の支持部７をボックス本体１に設けることができる。
また、ボックス本体１とボックス蓋体２の他端には合体用のＬ字形の鉤部２１、２２が設けられている（図３）。
【００１１】
第１封印部材３の支持部６には、細長でスリット状の第１開口部１１が設けてあり、第２封印部材４の支持部７には、第１開口部１１に対向して細長でスリット状の第２開口部１２が設けてある。第１開口部１１には第１封印部材３が差し込まれ、第２開口部１２には第２封印部材４が第１封印部材３を係止するように差し込まれる。
【００１２】
第１封印部材３は、図５に示すような薄い板材からなるものであって、中央にコの字状の切欠き１３によって形成された係止爪１４を有する。係止爪１４は、図１では第１封印部材３の板面よりやや下向きに突出して形成されており可撓性を有する。第２封印部材４は、図６に示すような薄い板材からなるものであって、係止爪１４の先端を係止可能な係止穴部１５を有する。第１封印部材３、第２封印部材４は、金属、合成樹脂で製造することができる。
【００１３】
第１封印部材３と第２封印部材４は、その端部にそれぞれ左右に突出する位置決め片１６、１７を有しており、この位置決め片１６、１７は後述するように第１開口部１１及び第２開口部１２の左右に設けた段差部に当接して、第１封印部材３と第２封印部材４とを位置決めする。
【００１４】
以上のように構成されたものは、鉤部２１と鉤部２２とを噛み合せたうえ、ボックス本体１とボックス蓋体２とを合体させて、支持部６と支持部７とを対向させて当接する。次いで、第２開口部１２に第２封印部材４を差し込むと、その先端が第１開口部１１近傍に到達する（図４）。第１開口部１１の内部にはガイド板２３が延設してあって、第２封印部材４の上側には第１封印部材３の厚み相当の隙間Ｓが形成される。そこで、第１開口部１１のその隙間Ｓに第１封印部材３を差し込むと、第１封印部材３は第２封印部材４の上側を摺動することとなる。さらに第１封印部材３を差し込むことによって、図７に示すように、位置決め片１６、１７がそれぞれ第１開口部１１及び第２開口部１２の左右に設けた段差部１８、１９に当接して位置決めされるとともに、係止爪１４が係止穴部１５に入り込んで係止される。以上のようにして第１封印部材３と第２封印部材４によってボックス本体１とボックス蓋体２とを、確実に錠止することができる。
【００１５】
なお、第１封印部材３は、図８に示すように、板材の一端を逆方向に折り曲げた係止爪２５を有するものとすることができるし、図９に示すように、板材の中ほどを突状に折り曲げた係止爪２６を有するものとすることもできる。これらの場合、第１封印部材３は、それぞれの係止爪２５、２６が、係止穴部１５に入り込むことで係止される。
【００１６】
また、図９に示した封印部材を図１１のように対向させて互いの摺動面３４を摺動させ係止爪２６の係止面３３同士を噛み合わせることによっても基板ボックスを錠止することができる。また、図１０に示すように板材の先端を折り曲げて密着させて係止面３３と摺動面３４とを形成し、二つの部材の一方を第１封印部材３とし、他方を第２封印部材４として、これらを第１開口部１１及び第２開口部１２から差し込んで係合させることによっても基板ボックスを錠止することができる。
【００１７】
また、図１２に示すような板面３２の中央部を台形状に折り曲げて係止面３３と摺動面３４とを有する係止爪３０を設けたものを用いることができる。この場合も二つの封印部材３、４を対向させて摺動面３４同士を摺動させ係止面３３同士を係合させることによって錠止することができる。あるいは、図１３に示すような板面３２の中央部をプレス成形により変形させて係止爪３１を形成したものを、対向させて用いることもできる。図１３に示す係止爪３１は、板面３２に対して垂直状の係止面３３と斜めの摺動面３４とを有する山形状のものである。即ち、摺動面３４同士を摺動させたうえ係止面３３同士を噛み合わせることによって錠止することができる。なお、細長のスリットには係止爪３１の通過を容易とする凹状の切込みを形成することができる。
さらに、図１４に示すように、第１封印部材３を係止爪３５を備えた凹部３６を有する板材からなるものとし、第２封印部材４を係止爪３５と噛み合う突起４１を備えた突片４２を有する板材からなるものとすることによっても、突片４２を凹部３６に嵌合させることによって基板ボックスを錠止することができる。
【００１８】
なお、鉤部２１、２２に代えて、レールと、このレールを嵌め込み可能な溝部とを用いて、ボックス蓋体２がボックス本体１上を摺動させるようにしても、ボックス本体１とボックス蓋体２とを開封不能に合体させることができる。
【００１９】
また、必要が生じてボックス蓋体２をボックス本体１から開封する場合には、ブリッジ５、８を切断するなどして破壊すれば、基板ボックスを開封することができる。
【００２０】
また、本発明の錠止構造は、検査等への対応のため、基板ボックスに複数個設置することもできる。
【図面の簡単な説明】
【００２１】
【図１】本発明の錠止構造を備えた基板ボックスの分解斜視図である。
【図２】基板ボックスの正面図である。
【図３】図２のＡ−Ａ線断面図である。
【図４】図３の要部拡大図である。
【図５】第１封印部材の正面図である。
【図６】第２封印部材の正面図である。
【図７】錠止構造を説明する断面図である。
【図８】別の形態の第１封印部材の斜視図である。
【図９】以上とは別の形態の第１封印部材の斜視図である。
【図１０】先端を折り曲げた封印部材を対向させて錠止する状態を示す斜視図である。
【図１１】図９の封印部材を対向させて錠止する状態を示す斜視図である。
【図１２】板材に台形状の係止爪を設けた一組の封印部材の斜視図である。
【図１３】板材に山形状の係止爪を設けた一組の封印部材の斜視図である。
【図１４】係止爪を備えた凹部を有する第１封印部材と、突起を備えた突片を有する第２封印部材の斜視図である。
【図１５】図１３の封印部材により基板ボックスを錠止する状態を示す斜視図である。
【符号の説明】
【００２２】
１  ボックス本体、２  ボックス蓋体、３  第１封印部材、４  第２封印部材、１１  第１開口部、１２  第２開口部、１４  係止爪、１５  係止穴部
【図１】
2007061582.tif 000003
【図２】
2007061582.tif 000004
【図３】
2007061582.tif 000005
【図４】
2007061582.tif 000006
【図５】
2007061582.tif 000007
【図６】
2007061582.tif 000008
【図７】
2007061582.tif 000009
【図８】
2007061582.tif 000010
【図９】
2007061582.tif 000011
【図１０】
2007061582.tif 000012
【図１１】
2007061582.tif 000013
【図１２】
2007061582.tif 000014
【図１３】
2007061582.tif 000015
【図１４】
2007061582.tif 000016
【図１５】
2007061582.tif 000017